(57)【要約】プレハブ建築モジュールは、床面構造の短い側面の周りで枢支される２つの端壁を有する矩形の床面構造、床面構造の長い側面にそのより低い端で枢支される側壁、および、側壁の前記上端部で枢支される屋根構造からなり、壁および屋根構造がモジュールの運搬を容易にするためにフラットパックに折り畳まれる。屋根構造は、天井、および、運搬のため天井上へ折り畳まれる天井に枢支した直立屋根トラスからなり、壁は、ドアおよび窓のための設備を有する。【選択図】図７
2008544114.tif 000002
【特許請求の範囲】
【請求項１】
プレハブ建築モジュールであって、床面構造の短い側面の周りで枢支される２つの端壁を有する矩形の床面構造、前記床面構造の長い側面にそのより低い端で枢支される側壁、および、前記側壁の前記上端部で枢支される屋根構造からなり、前記壁および屋根構造が前記モジュールの運搬を容易にするためにフラットパックに折り畳まれるようなプレハブ建築モジュール。
【請求項２】
請求項１のモジュールであって、前記屋根構造が、天井、および、運搬のために前記天井上へ折り畳まれる前記天井に枢支される直立屋根トラスからなるモジュール。
【請求項３】
請求項２のモジュールであって、フラットパックを形成するため、前記端壁が前記床面上に折り畳まれ、前記天井が前記側壁上に折り畳まれ、前記トラスが前記天井上に折り畳まれ、前記天井が前記端壁上に折り畳まれるモジュール。
【請求項４】
請求項２のモジュールであって、前記天井構造および前記屋根トラスは、直立する場合、適所にそれらを係止するメカニズムを有するモジュール。
【請求項５】
請求項１のモジュールであって、前記壁はドアおよび窓のための設備を有するモジュール。
【請求項６】
請求項１のモジュールであって、前記屋根は、前記屋根トラスに取り付けられるセイル・トラックにおいて保たれる可撓性の薄膜から形成されるモジュール。
【請求項７】
請求項１のモジュールであって、２つまたはそれ以上のモジュールの居住に適した建物を形成するため、他のモジュールと結合して使われるように適応するモジュール。
【請求項８】
請求項７のモジュールであって、前記屋根構造は堅固な小角材構造からなるモジュール。
【請求項９】
請求項７のモジュールであって、前記床面および屋根構造が、外側のベランダを形成するため、前記建築配列を越えて延長するのに適しているモジュール。
【請求項１０】
プレハブ建築の前記屋根構造および前記壁が運搬のためのフラットパックを形成するため、前記建物の前記床面構造上へ順番に折り畳まれるような方法。
【請求項１１】
屋根構造であって、運搬を容易にするために折り畳まれる直立屋根トラス、および、前記屋根トラスに取り付けられるセイル・トラックにおいて保たれる可撓性の薄膜からなる屋根構造。
【請求項１２】
本願明細書において添付の図面に関して記載されるモジュール。
【発明の詳細な説明】
【技術分野】
【０００１】
本発明は、プレハブで作られ、宿泊設備を提供するために建設される場所へ輸送されるモジュラ建物ユニットに関する。
【背景技術】
【０００２】
プレハブで作られた宿泊設備を提供するための異なる方法を開示する多くの従来技術文献が、存在する。ＲＵ２２４０４００は、運搬のため平面パッケージへ折り畳まれる運送コンテナのような構造を記載する。建設される場合、それは極めて基本的な箱型の構造を構成する。
【特許文献１】ＲＵ２２４０４００
【０００３】
ＷＯ９６／１３４０２は、運搬のための車輪を備える中心のユニットに枢支したより高度な折り畳み構造を示す。組立て場所にある場合、支持受け台は中心のユニットから延長し、および追加的なモジュールは、受け台に合うように中心のユニットのどちらかの側面から展開する。側面モジュールは、切妻の屋根、および、閉じた構造を形成するため中心のユニットの側面から伸びる端壁を有する。この構造は費用がかかり、原動機の後で牽引することによる運搬のみに適切であるだけである。
【特許文献２】ＷＯ９６／１３４０２
【０００４】
ＵＳ４，７８０，９９６は、堅固な中心部分を有する折り畳み携帯型建築構造、および、補完的な側面モジュールの屋根部材組立のための巻き上げシステムを教示する。屋根部材がきちんと巻き上げられたあと、壁部材およびフローリングは展開する。巻き上げシステムは、組立の後除去されることができ、このことが、システムをクレーンの建設から独立させるが、費用が加わることになる。
【特許文献３】ＵＳ４，７８０，９９６
【０００５】
ＳＵ１８０３５０７およびＵＳ ４，９１２，８９１は、側面モジュールの展開に関する堅固な中心のユニットのテーマにおけるさらなる変形物を教示する。しかしながら、この堅固な中心のユニット構造は、巨大でかつ運搬に困難である。したがって、ＲＵ２２４０４００のそれのように平面パッケージとして運搬されることができるが、現場で建設される場合、より居住に適した宿泊設備を提供することができるプレハブで作られた建物の必要性がある。
【特許文献４】ＳＵ１８０３５０７
【特許文献５】ＵＳ ４，９１２，８９１
【発明の開示】
【発明が解決しようとする課題】
【０００６】
したがって、効果的な運搬の役に立ち、居住に適した宿泊設備へと簡単に建設される、または、少なくとも従来技術システムの代替物を提供するプレハブのモジュラ建物を提供することは本発明の目的である。
【０００７】
本発明によると、プレハブの建築モジュールは、床面構造の短い側面の周りで枢支する２つの端壁を有する矩形の床面構造、床面構造の長い側面にそのより低い端で枢支した側壁、および、前記壁および屋根構造がモジュールの運搬を容易にするためにフラットパックに折り畳まれるように前記側壁の上端部で枢支した屋根構造からなる。
【０００８】
好ましくは、屋根構造は、天井、および、運搬のため、天井の上へ折り畳まれる天井に枢支した直立した屋根トラスからなる。
【０００９】
好ましくは、端壁は床面上へ折り畳まれ、天井は側壁上へ折り畳まれ、トラスは天井上へ折り畳まれ、天井はフラットパックを形成するために端壁上へ折り畳まれる。
【００１０】
好ましくは、壁、天井構造および屋根トラスは、直立する場合、適所にそれらを係止するメカニズムを有する。
【００１１】
好ましくは、壁はドアおよび窓のための設備を有する。
【００１２】
好ましくは、屋根は、屋根トラスに取り付けられるセイル・トラックにおいて保たれる可撓性の薄膜から形成される。
【００１３】
好ましくは、モジュールは、２つまたはそれ以上のモジュールの居住に適した建物を形成するため、他のモジュールと結合して使われるように適応する。
【００１４】
代替的に、屋根構造は、堅固な小角材構造からなる。
【００１５】
好ましくは、床面および屋根構造は、外側のベランダを形成するために建築配列を越えて延長するように適応する。
【００１６】
代替的に、運搬のためのフラットパックを形成するため、プレハブの建築の屋根構造および壁は順番に建物の床面構造上へ折り畳まれる方法が提供される。
【００１７】
代替的に、屋根構造は、運搬を容易にするために折り畳まれた直立の屋根トラス、および、屋根トラスに取り付けられるセイル・トラックにおいて保たれる可撓性の薄膜からなる。
【発明を実施するための最良の形態】
【００１８】
本発明のプレハブ建築モジュールは、運送コンテナと同じ図面大きさを有し、スタッキングを容易にするための角ポスト突出部２を有して図１および２において図示されるフラットパック１として輸送される。モジュールの床面３はパック１の基部および端壁４を形成し、側壁５および屋根構造６はフラットパック１に折り畳まれる。
【００１９】
図３において示されるモジュールの組立の第１の段階において、その内側の下端で床面３に枢支される側壁５、および、壁５の内側の上端部で枢支される天井８はパック１から上に回転し、壁５は、図７において示される係止支柱１２によって、その垂直の位置において係止される。図４において示される第２の段階において、屋根トラス７は、天井８の面から回転し、天井８の直角位置において係止される。
【００２０】
図５において示される組立の第３の段階において、屋根トラス７が垂直であり、適所に保たれて、天井８はその水平位置に上げられる。壁５の外部に沿って中間に床面構造に取り付けられる予備の巻揚げ柱（図示せず）は、天井８を上げるために使用される可能性がある。図６において示される最終的な段階において、床面３に枢支される端壁４は、それらの垂直の位置に回転し、屋根構造６を支持するために、適所に係止する。
【００２１】
したがって、直立したモジュールは構造的に自立し、それらの開口部で２つのモジュールは、図７に示すように２つの運送コンテナの平面領域を有する居住可能な構造を形成するため、結合されることができる。屋根カバーは、トラス７に取り付けられるセイル・トラックを通じて帆のタイプ薄膜を引き、ねじキャップで２つのモジュール間の結合を密閉することによって提供される可能性がある。
【００２２】
代替的に、従来の堅固な屋根構造９が図７に示すように提供される可能性がある。屋外のベランダは、モジュール配列を越えて床面３への拡張部分１０によって提供される可能性があり、屋根構造９への拡張部分１１はまた、屋外のベランダをカバーするために提供される可能性がある。
【００２３】
壁４および５は、その場所に適切な構造上および防寒用の建築材料で装われる。ドアおよび窓は必要に応じて提供され、３つ以上のモジュールは、モジュールの１つまたはそれ以上の内部側壁を単純に取り除くことによって結合されることができる。そのように形成される建物は、生活および労働用の宿泊設備、例えば司令部および病院のような軍事上の使用を含む様々な用途において使われることができる。
【００２４】
モジュールの帆タイプの屋根構造はまた、例えば、運送コンテナを覆う屋根を提供するために独立して使用される可能性がある。屋根トラス７は、それらの収容位置から回転し、それらの立位において係止される天井構造８に枢支されるように、コンテナの上部に枢支されることができる。日よけの薄膜はそれから、トラス７に取り付けられるセイル・トラックを通じて適所に引かれることができ、したがって、コンテナの上に屋根を形成する。
（変形物）
【００２５】
前述のものは図示する例のみとして提供され、当業者に明瞭なすべての他の修正および変更は、本願明細書における説明として発明の幅広い範囲および領域に包含されるとみなされて、実現される。例えば、様々な仕事当量は、発明の概念から逸脱することなく、構成要素を枢支し係止することに置換される。
【００２６】
この明細書に対する説明および請求項の全体にわたって、「なる」という単語、および、「なる」および「構成される」のような単語の変形物は、他の添加された構成要素の完全体またはステップを除外する意図を有しない。
【図面の簡単な説明】
【００２７】
【図１】ａからｅは、フラットパックから完全に直立した構造への組立のその様々な段階におけるプレハブ建築モジュールの斜視図を示す。
【図２】図１ａのフラットパックの側面図である。
【図３】図１ｂの組立の第１の段階の側面図である。
【図４】は図１ｃの組立の第２の段階の側面図である。
【図５】は図１ｄの組立の第３の段階の側面図である。
【図６】は図１ｅの完全に直立した構造の側面図である。
【図７】は堅固な屋根構造を有する建物を形成するために結合される２つのモジュールの斜視図である。
【図１Ａ】
2008544114.tif 000003
【図１Ｂ】
2008544114.tif 000004
【図１Ｃ】
2008544114.tif 000005
【図１Ｄ】
2008544114.tif 000006
【図１Ｅ】
2008544114.tif 000007
【図２】
2008544114.tif 000008
【図３】
2008544114.tif 000009
【図４】
2008544114.tif 000010
【図５】
2008544114.tif 000011
【図６】
2008544114.tif 000012
【図７】
2008544114.tif 000013
【国際調査報告】
2008544114.tif 000014
2008544114.tif 000015
2008544114.tif 000016
2008544114.tif 000017